(57)【要約】      （修正有）【課題】糸で物を対象物に縛り付ける作業を行う際に、糸を針穴に通す作業を複数回行う必要がなく、糸が針穴から抜けてしまう事態を防止でき、作業性を向上させることができる針を提供する。【解決手段】針１は内部に中空部４０を備えており先端側の端面１１と後端側の端面１２が共に解放されている中空筒体１０と、先端側の端面を中空部の中心軸Ａに直交する平面Ｂに対して傾斜させて成る針先２０と、中空筒体の少なくとも一部を屈曲させて成る屈曲箇所３０を備えており、中空部内を後端側の端面から先端側の端面に向けて糸が通される。作業者は針を対象物の表面に突き刺したあと裏面に突き刺すことで針先を表面側に露出させる。そして針先から糸の先端を引き出し、針を後端側に移動させることで対象物から引き抜き、糸を切断する。上に位置する糸の後端と下に位置する糸の先端とを結ぶことで物を対象物に縛り付ける。【選択図】図１
0003226225.tif 000002
【実用新案登録請求の範囲】
【請求項１】
内部に中空部を備えており先端側の端面と後端側の端面が共に解放されている中空筒体と、
前記先端側の端面を前記中空部の中心軸に直交する平面に対して傾斜させて成る針先と、
前記中空筒体の少なくとも一部を屈曲させて成る屈曲箇所を備えており、
前記中空部内を前記後端側の端面から前記先端側の端面に向けて糸が通されることを特徴とする針。
【請求項２】
前記屈曲箇所が螺旋状であることを特徴とする請求項1に記載の針。
【請求項３】
前記屈曲箇所が前記中空筒体の先端から後端にまで及ぶ半円弧状の第1屈曲箇所と、前記中空筒体の一部に形成される第2屈曲箇所から成ることを特徴とする請求項1に記載の針。
【考案の詳細な説明】
【技術分野】
【０００１】
本考案は、物を対象物に縛り付ける際に使用する針に関する。
【背景技術】
【０００２】
糸、紐、ワイヤー等（本明細書ではこれらを総称して単に「糸」という）を用いて物を対象物に縛り付けたりする目的で使用する針として平麻針と呼ばれる径が太くて長い針が知られている。
図5に示すように棒状体の物100の複数個所を糸101で結んで対象物102に縛り付ける場合（例えば竹の棒等の複数個所を糸で結んで農作業用の防風ネットに縛り付ける場合）、まず作業者は図6(a)に示すように針200を対象物102の表面から突き刺し、更に図6(b)に示すように裏面に突き刺して図6(c)に示すように表面側から引き抜く。次に作業者は図6(d)に示すように糸101を針穴201から抜き取ると共に後方の糸101を切断し、図6(e)に示すように糸101で物100の上下を挟んだ状態で糸101の両端を縛る。これで物100の長手方向の一箇所を対象物102に固定する作業が完了する。作業者は物100の他の一箇所を固定するべく糸101を再び針穴201に通し、図6(a)から(e)に示した作業を行う。
このように糸で物の複数個所を縛って対象物に固定する場合、後端に針穴が開いた一般的な針を使用すると作業者は糸を針穴に通す作業を複数回行う必要があり煩わしいという問題や、針穴の近傍では糸が二重になり太くなるので対象物に突き刺し難いという問題もある。
【０００３】
そこで、例えば特許文献1には針ではなく千枚通しであるが、柄に取り付けた金属棒の先端を尖らせると共に紐通し溝を設ける技術が開示されている。作業者は紐通し溝の紐挿入口から紐引出口に紐を通しておき、多数枚重ねた紙に金属棒を貫通させることで貫通孔を形成する。そして作業者は紐の先端を指で掴んだ状態で金属棒を引き抜くことで紐が貫通孔に残った状態になる。金属棒を貫通孔から引き抜いた後に紐引出口から外部に出ている紐を切断し、指で掴んでいた方の紐と合わせて結ぶことで多数枚の紙を紐で綴じることができる。また、切断後の紐は紐通し溝の内部に残っているので作業者はそのまま他の箇所に貫通孔を開けて紐を通す作業に移ることができる。
【先行技術文献】
【特許文献】
【０００４】
【特許文献１】実全昭54−008521号公報
【考案の概要】
【考案が解決しようとする課題】
【０００５】
しかし、上記特許文献1の技術では作業者が柄を手から離すと柄の重みによって千枚通しが落下したり転がったりしてしまい、その際に紐が紐通し溝から抜けてしまうという問題がある。また、金属棒が直線形状であるため対象物の表面を突き刺したあとに裏面を突き刺す作業が難しいという問題もある。
【０００６】
本考案は上記問題に鑑み、糸で物を対象物に縛り付ける作業を行う際に、糸を針穴に通す作業を複数回行う必要がなく、糸が針穴から抜けてしまう事態を防止でき、作業性を向上させることができる針を提供することを課題とする。
【課題を解決するための手段】
【０００７】
本考案の針は内部に中空部を備えており先端側の端面と後端側の端面が共に解放されている中空筒体と、前記先端側の端面を前記中空部の中心軸に直交する平面に対して傾斜させて成る針先と、前記中空筒体の少なくとも一部を屈曲させて成る屈曲箇所を備えており、前記中空部内を前記後端側の端面から前記先端側の端面に向けて糸が通されることを特徴とする。
また、前記屈曲箇所が螺旋状であることを特徴とする。
また、前記屈曲箇所が前記中空筒体の先端から後端にまで及ぶ半円弧状の第1屈曲箇所と、前記中空筒体の一部に形成される第2屈曲箇所から成ることを特徴とする。
【考案の効果】
【０００８】
本考案では物を対象物に縛り付ける際に、作業者はまず針を対象物の表面に突き刺したあと裏面に突き刺すことで針先を表面側に露出させる。この際に針を物の上方（又は下方）から対象物に突き刺して、物の下方（又は上方）から針先が露出するようにする。そして、針先から糸の先端を引き出し、次に針を後端側に移動させることで対象物から引き抜く。次に物の上方（又は下方）であって対象物の表面側からのびている糸を切断する。切断箇所はこれから縛り付けるために使用する糸の後端になる。これで物の上下を糸で挟んだ状態になり、上に位置している糸の後端と下に位置している糸の先端とを結ぶことで物を対象物に縛り付ける。切断後の糸は中空部内に残っているので、作業者はそのまま他の箇所を縛る作業に移ることができる。このように本考案の針では作業者は糸を中空部内に通す作業を一度行うだけでよい。また、糸は中空筒体の先端側の端面（針先）と後端側の端面から外部に露出するので、針を対象物に突き刺す際に糸が二重にならず、作業を容易に行うことができる。また、物の上下を挟んだ状態で糸の後端と先端を結ぶ際には針から両手を離すことになるが、屈曲箇所では糸の表面と中空部の内周面とが接触して摩擦が生じるので、摩擦力によって糸を中空部内に留めておく、換言すると針が糸から抜け落ちないようにすることができる。
屈曲箇所の形状を螺旋状にすればより大きな摩擦力を生じさせることができる。
また、針が中空筒体の先端から後端にまで及ぶ半円弧状の第1屈曲箇所を備えることにすれば、針を対象物の表面に突き刺したあと裏面に突き刺して針先を表面側に露出させる際に針先を容易に表面側に向けることができ、作業性を向上させることができる。
【図面の簡単な説明】
【０００９】
【図１】針の平面図(a)、左側面図(b)、第１屈曲箇所を破線で示した左側面図(c)及び第2屈曲箇所を破線で示した平面図(d)
【図２】針に糸を通した状態を示す平面図(a)及び左側面図(b)
【図３】針の変形例を示す左側面図(a)及び(b)
【図４】針の使用方法を示す縦断面図(a)〜(f)
【図５】棒状体の物の複数個所を糸で結んで対象物に縛り付けた状態を示す正面図
【図６】後端に針穴を備えた一般的な針の使用方法を示す縦断面図(a)〜(e)
【考案を実施するための形態】
【００１０】
以下、本考案の針の実施の形態について説明する。
図1(a)及び(b)に示すように針1は中空筒体10の先端側の端面11に針先20を備えており、中空筒体10の少なくとも一部に屈曲箇所30を備えている。針1の材料は特に制限されず鉄、アルミニウム、ステンレス等の金属、プラスチック樹脂、炭素繊維等が挙げられる。
中空筒体10は内部に中空部40が形成されており、先端側の端面11と後端側の端面12が共に解放されている。図2に示すように糸50は中空部40内を後端側の端面12から先端側の端面11に向けて通される。
【００１１】
針先20は中空筒体10の先端側の端面11を、中空部40の中心軸Aに直交する平面Bに対して傾斜させることで形成される。傾斜角αを90度未満の範囲で大きくするほど針先20が鋭利になる。
屈曲箇所30は中空筒体10の少なくとも一部に形成される。本実施の形態の針1は図1(c)に破線で示すように中空筒体10の先端から後端にまで及ぶ半円弧状の第1屈曲箇所31と、図1(d)に破線で示すように中空筒体10の中央から後方に位置する第2屈曲箇所32を足し合わせた形状になっている。針1の変形例としては例えば図3(a)に示すように中空筒体10の先端から後端にまで及ぶ半円弧状の屈曲箇所33のみを備えるもの、図3(b)に示すように中空筒体10の一部において螺旋状の屈曲箇所34を備えるものなどが挙げられるがこれらに限定されない。
【００１２】
針1の製造方法は特に制限されず、例えば鋳造や射出成型等の周知の手法により直線状の中空筒体10を形成し、この中空筒体10に外力を加えて塑性変形させることで屈曲箇所30を形成し、先端側の端面11を切断や研磨することで針先20を形成する方法が挙げられる。他には3Ｄプリンターを用いて付加加工で積層していく方法が挙げられる。
【００１３】
次に本考案の針1の使用方法について説明する。
作業者は糸50を中空筒体10の後端側の端面12から挿入し、中空部40内を通して中空筒体10の先端側の端面11から外部に露出させることで図2に示す状態にしておく。なお、糸50の先端を外部に露出させず中空部40内に留めておいてもよい。
次に作業者は図4(a)に示すように針1を対象物60の表面から突き刺し、図4(b)に示すように裏面に突き刺して針先20を表面側に露出させる。針1が中空筒体10の先端から後端にまで及ぶ半円弧状の第1屈曲箇所31を備えているので、作業者は針1の大部分が裏面側に位置している状態で、針先20を表面側に容易に向けることができる。したがって、針先20を裏面に突き刺す際の作業性が向上する。
【００１４】
次に作業者は図4(c)に示すように表面側に位置する針先20の先端の糸50を指で掴んで中空部40から引き出す。次に作業者は図4(d)に示すように針1を後端側から引き抜き、図4(e)に示すように糸50を切断する。この状態で糸50は中空部40内に残っており、糸50の先端は中空筒体10の先端側の端面11から外部に露出している。
作業者は図4(f)に示すように糸50で物61の上下を挟んだ状態で糸50の両端を結ぶ。これで物61の長手方向の一箇所を対象物60に縛り付ける作業が完了する。作業者は物61の他の箇所を縛り付けるべく図4(a)から(f)に示した作業を繰り返し行う。
【産業上の利用可能性】
【００１５】
本考案は、糸で物を対象物に縛り付ける作業を行う際に、糸を針穴に通す作業を複数回行う必要がなく、糸が針穴から抜けてしまう事態を防止でき、作業性を向上させることができる針に関するものであり、産業上の利用可能性を有する。
【符号の説明】
【００１６】
α 傾斜角
A 中心軸
B 平面
1 針
10 中空筒体
11 先端側の端面
12 後端側の端面
20 針先
30 屈曲箇所
31 第1屈曲箇所
32 第2屈曲箇所
33 半円弧状の屈曲箇所
34 螺旋状の屈曲箇所
40 中空部
50 糸
60 対象物
61 物
100 物
101 糸
102 対象物
200 針
201 針穴
【図１】
0003226225.tif 000003
【図２】
0003226225.tif 000004
【図３】
0003226225.tif 000005
【図４】
0003226225.tif 000006
【図５】
0003226225.tif 000007
【図６】
0003226225.tif 000008